(57)【要約】      （修正有）【課題】テープと装着用部材の接続を容易に解除することができ、また、テープと装着用部材の接続も容易にできてかつしっかりと接続できるテープ式保安柵を提供する。【解決手段】テープ式保安柵の本体たるケース内に、テープを周囲に巻き回し、このテープを巻き取り方向に付勢する付勢手段を内装した回転体を回転自在に支持するテープ式保安柵であって、上記テープの先端部と接続される外部部材たる被装着保安器具への装着用部材３の接続部を、長手方向を三つ又にしたピン４と、該ピン４を三つ又の先端側から挿入可能にしたピン収容部５から構成し、このピン収容部５に、収容したピン４の三つ又部の中央ピン４ａに略対向する部位に所定長のスリット５ａを設ける。【選択図】図１
0003178261.tif 000002
【実用新案登録請求の範囲】
【請求項１】
ケース内に、テープを周囲に巻き回し、このテープを巻き取り方向に付勢する付勢手段を内装した回転体を回転自在に支持するテープ式保安柵であって、上記テープの先端部と接続される装着用部材の接続部が、長手方向が少なくとも三つ又のピンと、該ピンを三つ又の先端側から挿入可能にしてなるピン収容部とから構成され、該ピン収容部には、収容したピンの三つ又部の中央ピンに略対向する部位に、所定長のスリットが設けられてなることを特徴とするテープ式保安柵。
【請求項２】
上記スリット長が、テープ端部の幅方向に設けた筒部を、上記ピンの三つ又部の中央ピンに嵌着した該ピンを挿入したとき、テープが通過可能な寸法になっていることを特徴とする請求項１のテープ式保安柵。
【請求項３】
上記ピンに、頭部相当部分が設けられ、該ピンをピン収容部に挿入したとき、ピン頭部上面がピン収容部の開口面と略面一になり、かつピン頭部でピン収容部の開口を略閉塞可能になっていることを特徴とする請求項１のテープ式保安柵。
【請求項４】
上記ピンが、ピン収容部にロック可能になっていることを特徴とする請求項１のテープ式保安柵。
【請求項５】
上記テープが、引き出し位置で停止可能になっていることを特徴とする請求項１のテープ式保安柵。
【請求項６】
上記装着用部材が、ロードコーン用のものであることを特徴とする請求項１のテープ式保安柵。
【請求項７】
上記装着用部材が、被装着保安器具の形態にあわせて複数用意され、これを付属してなることを特徴とする請求項１のテープ式保安柵。
【考案の詳細な説明】
【技術分野】
【０００１】
本考案は、道路や工事現場などで用いられるロードコーンなどの保安器具間に張設されるテープ式保安柵に関し、より詳しくは、テープと、該テープ端部に設けられる被装着保安器具に装着するための装着用部材との接続構造に関する。
【背景技術】
【０００２】
従来、テープ式保安柵におけるテープと、該テープ端部に設けられ、被装着保安器具たるロードコーンに嵌着するためのリング状の装着部を設けた装着用部材との接続は、製造者が独自に考案した構造により接続されていることが多い（一例として、特許文献１の図７を参照）。
【０００３】
そして、上記特許文献１の接続構造のように、テープと装着用部材の接続が簡単に解除しないようしっかりとした接続ができる構造になっている。
なお、一般的な接続構造を用いる場合も、テープと装着用部材との接続が簡単に解除しないように、テープと装着用部材はしっかりと接続されている。
【０００４】
このため、例えば、使用中にロードコーンに装着しているリング状の装着部が損傷して現場にて装着用部材を交換する場合、テープと装着用部材の接続解除に時間が掛かり、交換作業の完了まで相当な時間を要することが多かった。
【先行技術文献】
【特許文献】
【０００５】
【特許文献１】特開２０００−２９０９４６号公報（図７）
【考案の概要】
【考案が解決しようとする課題】
【０００６】
本考案の目的とするところは、テープと装着用部材の接続を容易に解除することができ、また、テープと装着用部材の接続も容易にできてかつしっかりと接続できるテープ式保安柵を提供できるようにすることにある。
【課題を解決するための手段】
【０００７】
上述した課題を解決するために、本考案に係るテープ式保安柵は、ケース内に、テープを周囲に巻き回し、このテープを巻き取り方向に付勢する付勢手段を内装した回転体を回転自在に支持するテープ式保安柵であって、上記テープの先端部と接続される外部部材たる被装着保安器具への装着用部材の接続部が、長手方向が少なくとも三つ又のピンと、該ピンを三つ又の先端側から挿入可能にしてなるピン収容部から構成され、該ピン収容部には、収容したピンの三つ又部の中央ピンに略対向する部位に、所定長のスリットが設けられてなることを特徴とするものである。
【０００８】
本考案のテープ式保安柵を詳しく説明すると、ケースとは、テープすなわち規制用のテープを収容する部材でありテープ式保安柵の本体でもある。
ケースは、所望の形状に形成された樹脂素材からなっており、このケース内に立設された軸に、規制用のテープを周囲に巻回した回転体（例えば、ドラム体など）が軸支されている。
【０００９】
またケースは、成形性に優れた樹脂素材を用いて成型しているものが普通であるが、金属素材等の他の素材を用いて形成したり、さらには、衝撃緩衝用の合成樹脂などの弾性部材を設ける場合がある。
【００１０】
上記回転体の内部には、該回転体に接続するテープを自動で巻き取るための平面視コイル状の巻き取りバネ（ゼンマイバネ）が設けられており、これにより、回転体が上述する軸まわりに付勢されて、テープが常にケース内の方向すなわち巻き取り方向に付勢された状態になっている。
【００１１】
そして、テープはケースに設けたテープ出入口から出入りしており、また、テープの巻き取り終了の際にはテープ先端部と接続する装着用部材がテープ出入口に係止する（テープのケース内への引き込まれが阻止される）。
また、装着用部材をテープ出入口に係止する形態は、装着用部材の接続部の一部ないし全体を該テープ出入口内に略嵌着状態に位置させるのが、テープ保護の観点から望ましい。
【００１２】
それで、装着用部材の接続部は、長手方向が三つ又のピンと、該ピンを三つ又の先端側から挿入可能にしてなるピン収容部から構成し、該ピン収容部の収容したピンの三つ又部の中央ピンに対向する部位に、所定長（寸法）のスリットを形成している。
【００１３】
このスリットは、テープ端部の幅方向に設けた筒部を、ピンの三つ又部の中央ピンに嵌着した該ピンを挿入したとき、少なくとも該テープが通過可能な寸法（スリット長）にする。
【００１４】
また、上記ピンの三つ又部における中央ピンの太さは、少なくともテープ端部の幅方向に設けた筒部が嵌められる寸法にし、上記ピンの三つ又部における右側ピンと中央ピンの間隙（スリット）、左側ピンと中央ピンの間隙（スリット）寸法は、少なくともテープの厚み分を考慮して選定する。
【００１５】
そして、テープの先端部の筒部を嵌めるピンの中央ピンは、テープ式保安柵の使用時、テープが外部部材（保安器具）間に張設されることによる該テープの張力によってスリットの外方に飛び出さないように、ピンをピン収容部の内に挿入セットしたとき、少なくともピンの中央ピンの先端寄りがスリットの先端部を超えてピン収容部の内方に位置するようにするのが望ましい。
例えば、中央ピンの先端寄りが、スリット先端に隣接するピン収容部の内壁に対峙する位置になるようにし、また、中央ピンの先端が、ピン収容部の底壁に設けた凹部内や通孔内に嵌るようにする。
【００１６】
さらに、ピンに頭部に相当する部分を設けて、ピンをピン収容部に挿入したとき、ピン頭部の上面が、ピン収容部の開口面と略面一に収容されるようにすると共に、該ピン頭部でピン収容部の開口を略閉塞できるようにするのが、ピン収容部内へのゴミ進入を効果的に防止できる。
【００１７】
また、ピンが、ピン収容部にロックできるようにして、ピン収容部から安易に抜けないようにするのがよい。
ロック手段は特に限定するものではなく、公知の技術を用いて行えばよいが、望ましくは、ピンを、ピン収容部に挿入して適正位置に到達したときに自動的にロックするようにするのがよい。
【００１８】
そして、ピン収容部からピンを抜くときは所定のアンロック操作、例えば、ピンまたはピン収容部に設けたロック解除ボタンを押し込むことでロックを外し、ピン収容部からピンを抜くようにする。
【００１９】
また、テープ式保安柵にテープ制動手段を設けて、テープが、引き出し位置で停止できるようにするのが望ましい。
【００２０】
テープ制動手段は、テープを所望の長さ引き出してからボタンやレバーなどの操作手段を操作し、テープを引き出した位置で停止（ロック）させるようにしたり、テープを常に制動しておいて、引き出した位置でテープが自動で停止（ロック）するようにする場合がある。
【００２１】
また、テープをケース内に戻すときは、前者および後者いずれも、ボタンやレバーなどの操作手段の操作によりテープの制動（ロック）が解除できるようにして、テープをケース内に巻き取らせるようにすればよい。
【００２２】
また、上記装着用部材は、該装着用部材を装着する外部部材（保安器具）がロードコーンの場合にはリング体になっているが、外部部材（保安器具）が他の形状の場合は、該外部部材（保安器具）の形状に適応する形態にしていて、形状は特に限定していない。
【００２３】
そして、ケースのテープ出入口と反対側には、テープ式保安柵の本体たるケースを外部部材（保安器具）に装着するための本体装着用部材を設けていて、該本体装着用部材は、テープ先端部に設けている装着用部材と同じ形態のもので、例えば、テープ先端部に設けている装着用部材がリング体であれば、本体装着用部材もリング体となる。
しかしながら、テープ先端部の装着用部材と本体装着用部材が相違する場合もある。
【００２４】
また、本体装着用部材をケースに着脱自在に構成して、テープ先端の装着用部材を他の形態のものに変更したとき、本体装着用部材も上記付け替えた装着用部材に合わせて付け替えることができるようにする場合もある。
【００２５】
そして、ケースや装着用部材の素材も特に限定するものではなく、例えば、成型し易い合成樹脂素材（ゴムなども含む）などを用いて形成すればよい。勿論、金属素材やカーボン素材などを用いて形成してもよい。
【００２６】
また、本考案に最も適する三つ又のピンの他、テープ式保安柵の大きさやテープ長などの形態によっては二又もしくは四つ又以上であってもよい。
この場合、ピン収容部にセット（収容）したテープの先端部に設けた筒部を嵌着するための嵌着用のピンに略対向する部位にスリットを設ける。
【考案の効果】
【００２７】
本考案のテープ式保安柵によれば、テープと、被装着保安器具に装着するための装着用部材との接続を容易に解除することができるので、テープ式保安柵の使用中に、上記装着用部材が損傷して現場にて該装着用部材を交換しなければならないときでも、テープと装着用部材の接続解除および交換した装着用部材とテープの接続を短時間で行える。
【００２８】
これにより、現場でのテープすなわち規制線が解除されている時間を短時間にできるので、規制線の解除が原因で発生する災害の発生率を極めて低くすることができ、そして、装着用部材の交換作業も短時間で行えるので、交換作業者の負担を大に軽減でき、さらに、交換を簡単にできかつ交換した装着用部材とテープの接続も容易かつしっかりと接続できるので、交換作業に起因する二次災害も防止することができる。
【００２９】
そして、本テープ式保安柵は、上述のようにテープと装着用部材の接続解除および交換した装着用部材とテープとの接続を容易に行えるので、装着用部材を被装着保安器具の形態に合わせて多数用意しておけば、装着用部材を適宜付け替えることでテープ式保安柵をより多くの保安器具に装着することができて、経済的にも非常に優れた効果を発揮できる。
【図面の簡単な説明】
【００３０】
【図１】本考案に係るテープ式保安柵の外部部材への装着用部材を示す斜視図。
【図２】テープ式保安柵の一例を示す斜視図。
【図３】テープと装着用部材の接続過程を示した斜視図。
【図４】テープが嵌着するピンの断面図。
【図５】テープ式保安柵の使用状態の一例を示す図。
【考案を実施するための形態】
【００３１】
以下、本考案に係るテープ式保安柵を、添付図面に示す具体例に基づいて説明する。
なお、実施例のテープ式保安柵は、テープの先端部と接続される外部部材への装着用部材に、ロードコーン用のものを設けたものである。
【００３２】
図１に示すように、本考案のテープ式保安柵１（図２を参照）におけるテープ２の先端部と接続される外部部材への装着用部材３の接続部を、長手方向を三つ又にしたピン４と、該ピン４を三つ又の先端側から挿入可能にしているピン収容部５から構成しており、また、該ピン収容部５にセット（収容）したピン４の三つ又部の中央ピン４ａに略対向する部位に、所定長のスリット５ａを設けている。
【００３３】
なお、図中の符号４ｂは、ピン４の頭部、符号４ｃは、ロック用突起、符号５ｂは、ピン４の挿入口、符号５ｃは、ピン４のロック用突起４ｂが嵌着する嵌着用開口、符号５ｄは、外部部材たるロードコーン６（図６を参照）に装着するためのリング部である。
【００３４】
以下、上述のように構成した本考案に係るテープ式保安柵の作用におけるテープ２と装着用部材３との接続を説明する。
【００３５】
図３中の（ａ）に示すように、テープ２の先端部に設けた筒部２ａを、ピン４の中央ピン４ａに嵌着する。図４は、ピン４とテープ２との嵌着状態を示した断面図である。
次いで、図３中の（ｂ）に示すように、テープ２を嵌着したピン４を、該ピン４の三つ又先端側からピン収容部５内に挿入（挿入口５ｂから）する。
そうすると、図３中の（ｃ）に示すように、テープ式保安柵１におけるテープ２の先端部と装着用部材３とが接続される。
【００３６】
なお、図３中の（ｃ）に示すように、テープ２をセットしたピン４をピン収容部５内に挿入すると、テープ２はピン収容部５のスリット５ａを通過して外部に臨み、また、頭部４ｂの上面が挿入口５ｂ面（開口面）と面一になると共に該頭部４ｂが挿入口５ｂを閉塞し、さらに、ロック用突起４ｃが嵌着用開口５ｃに嵌着し、ピン４がピン収容部５にロックする。
【００３７】
図中の符号７は、テープ２を引き出し位置で停止させるためのブレーキ用ボタンである。
【００３８】
そして、ピン４をピン収容部５から抜くときは、ロック用突起４ｃを押し込んだ状態でピン４もしくはテープ２を該ピン４の抜き方向に移動することで、ピン４を抜くことができる。
【００３９】
図５は、本テープ式保安柵１の使用状態の一例を示しており、テープ式保安柵１は、テープ２の先端部に設けた装着用部材３のリング部５ｄをロードコーン６の先端部６ｂから嵌着し、次いで、テープ２を引き出しながら移動して本体装着用部材３ａのリング部３ｂを所望のロードコーン６ａの先端部６ｂから嵌着してテープ式保安柵１の本体を該ロードコーン６ａにセットし、また、必要に応じブレーキ用ボタン７を操作してロードコーン６、６ａ間に張ったテープ２の弛みや張り具合を調整することで、該図６のように、ロードコーン６、６ａ間に規制用のテープ２を張れる。
【００４０】
また、テープ２の先端部の筒部２ａを嵌めるピン４の中央ピン４ａは、テープ式保安柵１の使用時、テープ２がロードコーン６、６ａ間に張設されることによる該テープ２の張力によってスリット５ａの外方に飛び出さないように、ピン４をピン収容部５内に挿入セットしたとき、少なくともピン４の中央ピン４ａの先端寄りがスリット５ａの先端部を超え、該スリット５ａ先端に隣接するピン収容部５の内壁に対峙する位置になるようにしている。
【符号の説明】
【００４１】
１…テープ式保安柵
２…テープ
２ａ…筒部
３…装着用部材
３ａ…本体装着用部材
３ｂ…リング部
４…ピン
４ａ…中央ピン
４ｂ…頭部
４ｃ…ロック用突起
５…ピン収容部
５ａ…スリット
５ｂ…挿入口
５ｃ…嵌着用開口
５ｄ…リング部
６…ロードコーン
６ａ…ロードコーン
６ｂ…先端部
７…ブレーキ用ボタン
【図１】
0003178261.tif 000003
【図２】
0003178261.tif 000004
【図３】
0003178261.tif 000005
【図４】
0003178261.tif 000006
【図５】
0003178261.tif 000007